(57)【要約】【課題】キャビネット等を運搬・移動するとき、内部の棚板等がキャビネット等を傾けても外れないように仮止め状に確実に固定できるようにする。【解決手段】下段位の棚板Ｐ１上に載置する下端支持部２に設けた支持筒１２と、天板あるいは上段位の棚板Ｐ２下面に当接する上端支持部３に設けた支持シャフト１３と、支持筒１２内部に上下スライド自在に挿入した支持シャフト１３を支持筒１２上に突出させる拡開傾向のバネ１４から成る伸縮機構１１とを備える。伸縮機構１１は、支持筒１２に穿設したスリット部１５に、支持シャフト１３に固設した操作ハンドル１６を挿通し、操作ハンドル１６を支持シャフト１３の表側から上下動自在に操作可能とする。支持筒１２内に支持シャフト１３をバネ１４に抗して最下端位置まで移動した際に、操作ハンドル１６をストッパ部１７側に係架して支持シャフト１３を収納、固定可能にする。【選択図】図１
2014144346.tif 000002
【特許請求の範囲】
【請求項１】
天板、棚板の上下段相互間で突っ張り配置される棚板固定装置であって、下段位の棚板上面に下端が突き当てられる支持筒と、天板あるいは上段位の棚板下面に上端が突き当てられる支持シャフトと、支持筒上部に上下スライド自在に挿入した支持シャフトを支持筒上方に突出させるよう支持筒内に配装した拡開傾向のバネから成る伸縮機構とを備えたことを特徴とする棚板固定装置。
【請求項２】
天板、棚板の上下段相互間で突っ張り配置される棚板固定装置であって、下段位の棚板上に載置される下端支持部と、下端支持部の上部に立脚固定した支持筒と、天板あるいは上段位の棚板下面に当接される上端支持部と、上端支持部の下部に垂設固定した支持シャフトと、支持筒上部に上下スライド自在に挿入した支持シャフトを支持筒上方に突出させるよう支持筒内に配装した拡開傾向のバネから成る伸縮機構とを備えたことを特徴とする棚板固定装置。
【請求項３】
伸縮機構は、支持筒の基端側に上下方向に沿って穿設されたスリット部に、支持シャフトの下端側に固設された操作ハンドルをスリット部に沿って上下動自在に挿通させておき、操作ハンドルによって支持シャフトの上下動を支持筒の表側から自在に操作可能として成る請求項１または２記載の棚板固定装置。
【請求項４】
スリット部は基端側から略Ｕ字形スリット状に折返し形成したストッパ部に連通され、支持筒内部にて支持シャフトが拡開傾向のバネに抗して最下端位置まで移動された際に、操作ハンドルをストッパ部側に係架させることで支持シャフトを固定可能にした請求項３記載の棚板固定装置。
【請求項５】
上端支持部の上面には、上段位の棚板下面に設けてある補強突条部に嵌合可能とした凹凸状の嵌合部を設けて成る請求項２乃至４のいずれか記載の棚板固定装置。
【請求項６】
天板、棚板の上下段相互間で突っ張り配置される棚板固定装置であって、下段位の棚板上に載置される下端支持部と、下端支持部の上部に立脚固定した支持筒と、天板あるいは上段位の棚板下面に当接される上端支持部と、上端支持部の下部に垂設固定した支持シャフトと、支持筒上部に上下スライド自在に挿入した支持シャフトを支持筒上方に突出させるよう支持筒内に配装した拡開傾向のバネから成る伸縮機構とを備え、伸縮機構は、支持筒の基端側に上下方向に沿って穿設されたスリット部に、支持シャフトの下端側に固設された操作ハンドルをスリット部に沿って上下動自在に挿通させておき、操作ハンドルによって支持シャフトの上下動を表側から自在に操作可能とし、スリット部は基端側から略Ｕ字形スリット状に折返し形成したストッパ部に連通され、支持筒内部にて支持シャフトが拡開傾向のバネに抗して最下端位置まで移動された際に、操作ハンドルをストッパ部側に係架させることで支持シャフトを固定可能にしたことを特徴とする棚板固定装置。
【発明の詳細な説明】
【技術分野】
【０００１】
本発明は、例えば事務所等の移転時において、棚高さ調整式の例えばブックシェル、各種キャビネット、その他棚高さ調整可能としてあ種々の家具類等の運搬・移動時に、天板、上下段の棚板相互間に突っ張り状態となって嵌め入れておくことで、棚板相互を弾撥的に支持固定して棚板が外れるのを防止し、家具類等の移動作業を速やかに実施できるようにする棚板固定装置に関する。
【背景技術】
【０００２】
従来から、キャビネット等の棚板は、例えばキャビネットの左右内側面に設けられている前後一対の縦長な棚支持柱に細かい間隔で配列された係止孔への挿入によって係止された例えばピン・ダボ状もしくはＬ字片状等の引っ掛け具の上に単に載せられているのが一般的である。これは、引っ掛け具の係止孔への取り付け位置の高さを適宜変更させることで、本、書類その他の収納物の高さに応じて、位置決めセットする上下段の棚板相互の間隔高さを調整可能とするためである。このようなキャビネットを移転その他のために運搬・移動する際にそのまま傾けてしまうと、引っ掛け具から棚板が外れ、また引っ掛け具も外れてしまう。これを防止するため、キャビネットの運搬・移動時には、棚板および引っ掛け具を予め外して纏めておいたり、テープ等の貼着で仮止めしたりしている。
【０００３】
すなわち、キャビネットの運搬・移動時に、棚板および引っ掛け具を予め外しておく場合には、移動先でキャビネットを設置した後、収納物の高さに応じて棚板相互の高さを再度位置決めして、引っ掛け具を係止孔に再度引っ掛け支持しなければならず作業は極めて面倒である。しかも運搬・移動時には、外した棚板を重ねて纏めておく必要があり、引っ掛け具も紛失しないようにしなければならないから手間がかかる。
【０００４】
また、キャビネットの運搬・移動時に、棚板および引っ掛け具を外さずに、棚板が引っ掛け具によって取り付けられているままの状態で例えばキャビネット内壁と棚板とにかけてテープを貼着し止めておくこともある。しかしこのような場合でも、移動先においてテープを剥がす必要があるから作業は極めて面倒であり、しかも剥がされたテープは廃材となってしまい、資源的にも無駄である。
【０００５】
このような面倒な作業を解消すべく、例えば特許文献１に開示されているように、棚板を引っ掛け具上に載せた状態のままで当該棚板を固定できるようにした棚板仮止め具が提案されている。この棚板仮止め具は、連結部を介して上下に大きさの異なる２本の弾性を有する脚片を略八字型に配し、連結部の片面には、キャビネットの左右内側面の係止孔へ挿入するための挿入用突起を設けて成り、引っ掛け具上に載せた棚板の上面を脚片の弾撥力によって保持すべく挿入用突起を直上の係止孔へ挿入するものとしてある。
【０００６】
また、特許文献２および特許文献３に開示されているように、キャビネット等の家具の棚板をキャビネット本体の地板上に重ねて載置し、これらを動かないように仮止め具にて棚板を家具本体に仮固定する家具における棚板の仮止め具が提案されている。この仮止め具は、弾性を有する素材で断面Ｕ字状又はコ字状若しくは略Ｖ字状に形成されていて、仮止め具の両側板の先端に形成した外向きの係止爪を家具本体における棚板支持用の係止孔に、両側板をその間隔が狭まるように弾性変形させた状態で係合することで棚板の側縁部上面に接当して固定するとしている。
【０００７】
また、特許文献４に開示されているように、棚板支持用の係止孔に嵌入したダボによって、キャビネット内の底板上に載置した複数の棚板を支持する棚板固定構造が提案されている。この棚板固定構造は、底板上に載置した複数の棚板よりも上方の係止孔に嵌入する係止片を用いて側壁に接して配される板状の基部と、この基部の下端で底板と平行にのびる張出し片とを有する仮止め金具の当該張出し片を棚板上面に近接保持させるものとなっている。
【先行技術文献】
【特許文献】
【０００８】
【特許文献１】実開昭６２−１０７７４２号公報
【特許文献２】実開平５−９３２８２号公報
【特許文献３】実開平５−９３２８３号公報
【特許文献４】実開平７−２４１４４号公報
【発明の概要】
【発明が解決しようとする課題】
【０００９】
しかしながら、特許文献１の場合においては、引っ掛け具上に載せた棚板の上面を脚片の弾撥力によって保持すべく、その作用支点となる挿入用突起が上方の係止孔へ挿入されているだけであるので、キャビネットの運搬・移動時の衝撃で挿入用突起が係止孔から離脱する虞があり、支持機能が十分に果たせない。
【００１０】
また、特許文献２乃至特許文献４の場合においては、複数の棚板をキャビネットの地板・底板上に重ねて載置しておき、上方の係止片に取り付けられた仮止め具・仮止め金具によって地板・底板上の複数の棚板を支持するとする。そのため、移動先で仮止め具・仮止め金具と共に複数の棚板を取り外し、これら棚板の高さを再度位置決めして、引っ掛け具を係止孔に再度引っ掛け支持しなければならず、再度の高さ調整によるセット支持が必要であるから面倒である。
【００１１】
そこで、本発明は叙上のような従来存した諸事情に鑑み創案されたもので、移動先で棚板を再度セットする必要がなく、棚板をキャビネットの引っ掛け具上に載せた状態のままで当該棚板を簡単、迅速且つ確実に固定でき、移動・運搬時に傾けても外れることがなく、しかも移動先でのキャビネット等の据付設置後での取外しも簡単で、所定の収納物の収納整理を直ちに実施でき、また再使用も可能で資源的にも無駄がないものとした棚板固定装置を提供することを目的とする。
【課題を解決するための手段】
【００１２】
上述した課題を解決するために、本発明にあっては、後述する実施の形態における符号を付記して説明すると、天板Ｐ３、棚板Ｐの上下段相互間で突っ張り配置される棚板固定装置であって、下段位の棚板Ｐ１上面に下端が突き当てられる支持筒１２と、天板Ｐ３あるいは上段位の棚板Ｐ２下面に上端が突き当てられる支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたことを特徴とする。
また、天板Ｐ３、棚板Ｐの上下段相互間で突っ張り配置される棚板固定装置であって、下段位の棚板Ｐ１上に載置される下端支持部２と、下端支持部２の上部に立脚固定した支持筒１２と、天板Ｐ３あるいは上段位の棚板Ｐ２下面に当接される上端支持部３と、上端支持部３の下部に垂設固定した支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたことを特徴とする。
伸縮機構１１は、支持筒１２の基端側に上下方向に沿って穿設されたスリット部１５に、支持シャフト１３の下端側に固設された操作ハンドル１６をスリット部１５に沿って上下動自在に挿通させておき、操作ハンドル１６によって支持シャフト１３の上下動を支持筒１２の表側から自在に操作可能として成ることができる。
スリット部１５は基端側から略Ｕ字形スリット状に折返し形成したストッパ部１７に連通され、支持筒１２内部にて支持シャフト１３が拡開傾向のバネ１４に抗して最下端位置まで移動された際に、操作ハンドル１６をストッパ部１７側に係架させることで支持シャフト１３を固定可能にしたものとすることができる。
上端支持部３の上面には、棚板Ｐ下面に設けてある補強突条部Ｑに嵌合可能とした凹凸状の嵌合部６を設けて成るものとできる。
【００１３】
以上のように構成された本発明に係る棚板固定装置にあって、支持筒１２内部に挿入されている支持シャフト１３は、支持筒１２内部における伸縮機構１１のバネ１４の弾撥力によって支持シャフト１３を上方へ突出状に付勢させる。これにより、天板Ｐ３、上下段の棚板Ｐ１，Ｐ２相互間で拡開傾向の弾撥的な突っ張り作用で棚板Ｐを支持固定させる。また、下段位の棚板Ｐ１上に配した下端支持部２、天板Ｐ３あるいは上段位の棚板Ｐ２下に配した上端支持部３によって安定的に当接した状態で、天板Ｐ、上下段の棚板Ｐ１，Ｐ２相互を弾撥的に支持固定させる。
操作ハンドル１６は、スリット部１５に沿って下側へスライド操作されることで、支持筒１２内部のバネ１４の弾撥力に抗して支持シャフト１３を上端支持部３と共に下方へ移動可能にさせる。
ストッパ部１７は、操作ハンドル１６の操作によって支持シャフト１３が拡開傾向のバネ１４に抗して最下端位置まで挿入された際に、操作ハンドル１６を係架させることで支持シャフト１３を固定させる。
上端支持部３上面の凹凸状の嵌合部６は、棚板Ｐ下面の補強突条部Ｑに嵌合され、上端支持部３が上段位の棚板Ｐ２下面に当接される際の補強突条部Ｑを回避させ、支持安定性を向上させる。
【発明の効果】
【００１４】
本発明によれば、棚高さ調整可能な種々の家具類等の運搬・移動時に、天板Ｐ３、上下段の棚板Ｐ１，Ｐ２相互間に突っ張り状態となって嵌め入れておくことで、棚板Ｐ相互を弾撥的に支持固定して棚板Ｐが外れるのを防止し、家具類等の移動作業を速やかに実施できる。すなわち、運搬・移動時に、棚板ＰをキャビネットＫの引っ掛け具Ｌ上に載せた状態のままで当該棚板Ｐを確実に固定できることで、移動先で棚板Ｐ等を再度セットする必要がなく、また移転先でのキャビネットＫの据付設置後では簡単に取り外すことができ、しかも再使用も可能であるから無駄がない。よって、例えば引越・移転担当業者において使用する場合には手間を大幅に削減でき、しかも作業能率の向上と省資源・省力化に大いに役立たせることができる。
【００１５】
すなわち、これは本発明に係る棚板固定装置が、下段位の棚板Ｐ１上面に下端が突き当てられる支持筒１２と、天板Ｐ３あるいは上段位の棚板Ｐ２下面に上端が突き当てられる支持シャフト１３と、支持筒１２上部に上下スライド自在に挿入した支持シャフト１３を支持筒１２上方に突出させるよう支持筒１２内に配装した拡開傾向のバネ１４から成る伸縮機構１１とを備えたからである。これにより、伸縮機構１１は支持筒１２内部のバネ１４の弾撥力によって上端支持部３を上方へ向けて常時付勢させておくことができ、天板Ｐ３、上下段の棚板Ｐ１，Ｐ２相互間での上下両支持部２，３の弾撥的な突っ張りによる棚板仮止め機能を十分に果たすことができる。
【００１６】
また、下段位の棚板Ｐ１上に載置される下端支持部２と、天板Ｐ３あるいは上段位の棚板Ｐ２下面に当接される上端支持部３とによって、天板Ｐ３、棚板Ｐそれぞれの上下面にしっくりと当接でき、突っ張り支持状態を安定化させるのに極めて有効である。
【００１７】
また、このように上下両支持部２，３は天板Ｐ３、上下段の棚板Ｐ１，Ｐ２相互間に突っ張り状に嵌め入れられて棚板Ｐ同士を支持するので、棚板Ｐを外さずにキャビネットＫの運搬・移動が容易となり、キャビネットＫを傾けても棚板Ｐは外れない。また、移転が終了すれば、伸縮機構１１は支持筒１２内部のバネ１４の弾撥力に抗して支持シャフト１３を支持筒１２内部に強制挿入しておけば、天板Ｐ３、上下段の棚板Ｐ１，Ｐ２相互間から容易に外すことができ、その後の再使用も容易に行える。
【００１８】
伸縮機構１１は、支持筒１２の基端側に上下方向に沿って穿設されたスリット部１５に、支持シャフト１３の下端側に固設された操作ハンドル１６をスリット部１５に沿って上下動自在に挿通させておき、操作ハンドル１６によって支持シャフト１３の上下動を支持筒１２の表側から自在に操作可能として成るので、操作ハンドル１６をスリット部１５に沿って下側へスライド操作させることで、支持筒１２内部のバネ１４の弾撥力に抗して支持シャフト１３を上端支持部３と共に下方へ容易に移動することができ、コンパクトにした状態で保管でき、再使用に備えることができる。
【００１９】
スリット部１５は基端側から略Ｕ字形スリット状に折返し形成したストッパ部１７に連通され、支持筒１２内部にて支持シャフト１３が拡開傾向のバネ１４に抗して最下端位置まで移動された際に、操作ハンドル１６をストッパ部１７側に係架させることで支持シャフト１３を固定可能にしたので、天板Ｐ３、上下段の棚板Ｐ１，Ｐ２相互間への配装が容易となる。また、設置後にはストッパ部１７から操作ハンドル１６を外してスリット部１５側に戻すことで、支持筒１２内部のバネ１４の弾撥力に任せて上端支持部３が上方へ向けて付勢されて上方に延び、天板Ｐ３あるいは上段位の棚板Ｐ２下面に突き当たり、突っ張り状となる。このように天板Ｐ３、上下段の棚板Ｐ１，Ｐ２相互間での上下両支持部２，３の弾撥的な突っ張り機能を容易に復元・再現することができ、運搬・移動に際する事前の準備を、棚板Ｐ等が大量にあっても迅速に作業できる。
【００２０】
上端支持部３の上面には、棚板Ｐ下面に設けてある補強突条部Ｑに嵌合可能とした凹凸状の嵌合部６を設けて成るので、棚板Ｐ下面に当接された上端支持部３に対し補強突条部Ｑを容易に回避させることができる。しかも、嵌合部６への補強突条部Ｑの嵌合係止により上下段の棚板Ｐ１，Ｐ２相互間の装置自体の前後方向の位置ずれ、およびこれによる装置自体の転倒等を確実に防止することができる。
【００２１】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２２】
【図１】本発明の実施の形態における使用状態の棚板固定装置の一例を示す斜視図である。
【図２】同じく使用状態の縦断面図である。
【図３】ストッパ部を示す側面図である。
【図４】棚支持柱の横長矩形状の係止孔にＬ字片状の引っ掛け具が挿着されている状態の断面図である。
【図５】棚支持柱の円形状の係止孔にピン・ダボ状の引っ掛け具が挿着されている状態の断面図である。
【図６】同じくキャビネット等の移動時における使用状態の斜視図である。
【図７】同じくブックエンド、アクセサリー等としての他の使用状態における正面図である。
【発明を実施するための形態】
【００２３】
以下、図面を参照して本発明の実施の形態を詳細に説明すると、図において示される符号１は、例えばキャビネットＫにおける天板Ｐ３と最上段の棚板Ｐ２、さらに上下段の棚板Ｐ１，Ｐ２相互間に、好もしくは左右で対状に配装される本発明に係る棚板固定装置を構成する装置本体である。この装置本体１は、図１、図２に示すように、下段位の棚板Ｐ１上に載置される下端支持部２と天板Ｐ３あるいは上段位の棚板Ｐ２下面に当接される上端支持部３とを、下端支持部２に立脚固定した支持筒１２に、上端支持部３に垂設固定した支持シャフト１３を挿入した状態で、装置本体１の内部に配装した伸縮機構１１を介して連繋して成る。
【００２４】
下端支持部２は、補強のために上部が円弧状に湾曲して成る平面長方形状の支持筐体４ａの下部開口側に、ゴム板の如き弾性を有する矩形平板状の支持板５ａが嵌着されて成り、上端支持部３は、補強のために底部が円弧状に湾曲して成る平面長方形状の支持筐体４ｂの上部開口側に、ゴム板の如き弾性を有する矩形平板状の支持板５ｂが嵌着されて成る。また、上端支持部３側の支持板５ｂ上面には長手方向に直交する幅方向に沿って凹凸状の嵌合部６を設け、上段位の棚板Ｐ２下面に長さ方向に沿って設けられている補強突条部Ｑに嵌合可能としている。
【００２５】
尚、棚板Ｐは、例えばスチール製の薄板材をその四周縁部下面から内側に向けて略Ｌ字状に折り曲げ、且つ屈曲に対する強度を保持するために棚板Ｐ自体の下面にその長手方向に沿って下方に突出した略コ字枠形の補強突条部Ｑが設けられて成る。また、支持板５ｂ上面の嵌合部６の配置・形状等は、棚板Ｐ下面に設けられている補強突条部Ｑの配置・形状に合わせて形成されている。
【００２６】
このように構成した装置本体１の天板Ｐ３、上下段における棚板Ｐ１，Ｐ２相互間への嵌め入れ、設置に際し、装置本体１は、内部に配した伸縮機構１１を介して、下端支持部２が下段位の棚板Ｐ１上に載置されるよう支持板５ａが下方に向けて配置され、上端支持部３が天板Ｐ３あるいは上段位の棚板Ｐ２下面に当接されるよう支持板５ｂが上方に向けて配置される。
【００２７】
伸縮機構１１は、下端支持部２の支持筐体４ａ上部中央に設けられている取付筒部７内に中空筒状の支持筒１２の基端側が嵌着され、これに対応して上端支持部３の支持筐体４ｂ下部中央に設けられている取付筒部８内に円柱状の支持シャフト１３の上端側が嵌着されている。そして支持筒１２にはその上部開放端側より、上下スライド自在に支持シャフト１３が挿入されている。そして、支持筒１２内底部と、支持筒１２に挿入された支持シャフト１３先端との間には、拡開傾向のバネ１４が介挿されており、このバネ１４の拡開弾撥力によって支持シャフト１３を支持筒１２の上方側へ向けて突出させるべく拡開傾向に常時付勢しているようにして構成されている。尚、上端支持部３は支持シャフト１３に対して回転自在にして設けることで、後述する操作ハンドル１６によるストッパ部１７内外の出し入れに伴う支持シャフト１３の回転によっても天板Ｐ３あるいは上段位の棚板Ｐ２との上端支持部３の当接状態の位置ずれを回避できる。
【００２８】
この伸縮機構１１による拡開傾向のバネ１４の弾撥力によって、天板Ｐ３、上下段の棚板Ｐ１，Ｐ２相互間を突っ張り状に固定することでこれらの間に嵌め入れられれば良いから、下端支持部２、上段支持部３それぞれが省略されることもある。すなわち、支持筒１２下端が下段位の棚板Ｐ１上面に、支持シャフト１３上端が天板Ｐ３あるいは上段位の棚板Ｐ２下面にそれぞれ直接に当接するようにしても良く、必要があれば支持シャフト１３にはアームを連結することができる（図示せず）。
【００２９】
また、支持筒１２の下方基端側には上下方向に沿ってスリット部１５が穿設され、支持シャフト１３の下端側周面に固設された略Ｌ字状の操作ハンドル１６がスリット部１５に挿通されており、操作ハンドル１６によって支持シャフト１３の上下動を支持筒１２の表側から自在に操作可能としている。
【００３０】
図３に示すように、スリット部１５にはその下方基端側から折返し連通した略Ｕ字形スリット状のストッパ部１７が形成され、支持シャフト１３が拡開傾向のバネ１４に抗して支持筒１２内部の最下端位置まで移動された際に、操作ハンドル１６をストッパ部１７に係架させることで支持シャフト１３を固定可能にしてある。これによって伸縮機構１１の収縮状態が保持されるものとしてあり、支持シャフト１３を収納したコンパクトな状態となしている。
【００３１】
また、操作ハンドル１６をストッパ部１７から外してスリット部１５側に戻せば、バネ１４の拡開弾撥力によって支持シャフト１３が支持筒１２の上方側へ向けて常時付勢されているので、支持シャフト１３は操作ハンドル１６がスリット部１５の上縁部によって係止される位置まで支持シャフト１３は上方に向けて伸長できるようになっている。
【００３２】
図示にあって、支持筒１２、支持シャフト１３は横断面で円形状を呈するパイプ構造としてあるも、これを横断面で矩形状、三角形状その他の多角形状を呈するように構成することもできる。また、伸縮機構１１のバネ１４は平面で円形状を呈するコイルバネとすることなく、支持筒１２等の横断面形状に対応させて平面で例えば矩形状その他を呈するコイルバネとすることもできる。
【００３３】
尚、キャビネットＫその他の家具類内で棚板Ｐを支持する引っ掛け具Ｌの具体的構成としては、例えば図１、図４に示すように、キャビネットＫの左右側壁の内側面に設けられている前後一対の縦長な棚支持柱Ｍに所定間隔毎で配列させた横長矩形状の係止孔Ｎに、例えばＬ字片状の引っ掛け具Ｌの後側上端からＵ字状に折り返された背面フック部Ｌ１が挿入係架されることで棚支持柱Ｍにセットされるものとしてある。そして、棚板Ｐは、この左右両端のＬ字状に折り曲げられた下縁に形成された棚側係止孔Ｌ３に引っ掛け具Ｌ先端のＬ字状係止部Ｌ２が引っ掛けられることで固定状に載せられるようになっている。
【００３４】
また、図５に示すように、棚支持柱Ｍに同様に所定間隔毎で配列された円形状の係止孔Ｎへ例えばピン・ダボ状の引っ掛け具Ｌを装着しておき、棚板Ｐはこれの下面端部に凹設された棚側係止溝Ｌ４を介して引っ掛け具Ｌに係架させるようにしても良い。尚、引っ掛け具Ｌの上記した各構成は、本発明を何等拘束するものではない。
【００３５】
次に、以上のように構成された実施の形態についての使用の一例について説明すると、図６に示すように、装置本体１はキャビネットＫの運搬・移動時において適数段で配置された棚板Ｐそれぞれを仮止めするために、天板Ｐ３、上下段の棚板Ｐ１，Ｐ２相互間に突っ張り状に配置して、好ましくは棚板Ｐの左右で対にして使用する。尚、本発明の棚板固定装置は、キャビネットＫにおける天板Ｐ３と最上段の棚板Ｐ２との間で最初に嵌め入れ固定し、次いで最上段の棚板Ｐ２と２段位の棚板Ｐ１との間に嵌め入れ固定する等、上位段の棚板Ｐ２とその下方の下段位の棚板Ｐ１との間に上部から順次に嵌め入れ固定する等、上方の棚板Ｐ２から下方の棚板Ｐ１を固定するように順次に行われる。
【００３６】
すなわち先ず、キャビネットＫ内の左右内壁面にそれぞれ備えた棚支持柱Ｍの係止孔Ｎに挿入係架した引っ掛け具Ｌに横架されている下段位の棚板Ｐ１上に、下端支持部２の支持板５ａを下方に向けて仮置きしておく。
【００３７】
そして、操作ハンドル１６をストッパ部１７から外すと、支持筒１２内部の伸縮機構１１のバネ１４で支持シャフト１３が上方に延び、上端支持部３の支持板５ｂが天板Ｐ３あるいは上段位の棚板Ｐ２下面に突き当たり、突っ張り状となる。このとき、上端支持部３側の支持板５ｂ上面の嵌合部６は、上段位の棚板Ｐ２下面に設けられている補強突条部Ｑに嵌合すると良い。
【００３８】
こうして天板Ｐ３、上下段の棚板Ｐ１，Ｐ２相互間での上下両支持部２，３のバネ１４による弾撥的な突っ張りにより棚板Ｐの仮止めが完了する。同様にして他の上下段の棚板Ｐ１，Ｐ２相互間にも配装することで、上下両支持部２，３は天板Ｐ３、上下段の棚板Ｐ１，Ｐ２相互間に突っ張り状に嵌め入れられて棚板Ｐ同士を支持しておく。こうすることで、棚板Ｐを外さずにキャビネットＫの運搬・移動が容易となり、キャビネットＫを傾けても棚板Ｐは外れない。
【００３９】
運搬・移動による移転先では、キャビネットＫを所定場所に据付設置後で、操作ハンドル１６を下方に移動させるよう支持筒１２内部のバネ１４の弾撥力に抗して支持シャフト１３を支持筒１２内部に強制挿入し、操作ハンドル１６をストッパ部１７に係架させておけば、天板Ｐ３、上下段の棚板Ｐ１，Ｐ２相互間から容易に外すことができ、その後の再使用に備えて、コンパクトに保管できる。
【００４０】
尚、装置本体１は、上記したように天板Ｐ３、上下段の棚板Ｐ１，Ｐ２相互間における左右で対にして使用するのが一般的であるが、棚板Ｐ相互を支持できれば１本でも可能であることは勿論であり、任意に選択できる。
【００４１】
また、装置本体１を棚板Ｐの仮止め具として使用するのみならず、図７に示すように、キャビネットＫの書籍・書類Ｈ等を収納する棚板Ｐ上のブックエンド代用品としての使用も可能である。この場合には、装置本体１の下端支持部３および上端支持部４の短手方向の幅をできるだけ小さくし、また書籍・書類Ｈに接触する装置本体１の片側を、必要があれば適当な板材Ｒにて覆うことでブックエンドらしくする。なお、支持筒１２更には支持シャフト１３の外周面を例えば意匠的具像物に形成して棚板Ｐ相互間での装飾性を高めるようにしても良い。さらには、下端支持部２、上端支持部３、支持筒１２、支持シャフト１３の各表面に化粧部を施したり、あるいは例えば発光ダイオード（ＬＥＤ）等の装飾用照明具等を具備させても良い。
【００４２】
また、図示を省略したが、例えば家具等の天板と天井との間で装置本体１の設置後において、必要に応じて支持筒１２の周面に形成されたネジ孔（図示せず）にネジをねじ込み、天板と天井との相互間で突っ張り状態にある装置本体１の伸縮機構１１を固定しておいても良い。このようにすると、支持筒１２の上部開放端側周面のネジ孔にネジをねじ込み支持シャフト１３の周面に圧接支持させ、天板と天井との間隔に対応した上下高さにバネ１４の段発力で調整させることで、支持筒１２に対し当該支持シャフト１３を強固且つ確実に位置決め固定させることができ、例えば家具等の耐震用押え具としての使用が可能となる。
【符号の説明】
【００４３】
Ｐ…棚板                                Ｐ１…下段位の棚板
Ｐ２…上段位の棚板                      Ｐ３…天板
Ｑ…補強突条部                          Ｒ…板材
Ｋ…キャビネット                        Ｌ…引っ掛け具
Ｌ１…背面フック部                      Ｌ２…Ｌ字状係止部
Ｌ３…棚側係止孔                        Ｌ４…棚側係止溝
Ｎ…係止孔                              Ｍ…棚支持柱
Ｈ…書籍・書類
１…装置本体                            ２…下端支持部
３…上端支持部                          ４ａ，４ｂ…支持筐体
５ａ，５ｂ…支持板                      ６…嵌合部
７，８…取付筒部
１１…伸縮機構                          １２…支持筒
１３…支持シャフト                      １４…バネ
１５…スリット部                        １６…操作ハンドル
１７…ストッパ部
【図１】
2014144346.tif 000003
【図２】
2014144346.tif 000004
【図３】
2014144346.tif 000005
【図４】
2014144346.tif 000006
【図５】
2014144346.tif 000007
【図６】
2014144346.tif 000008
【図７】
2014144346.tif 000009